(57)【要約】【課題】ＬＥＤ電光板の出力データやファームウエアを容易にアップデート可能とする。【解決手段】サーバからＬＥＤ電光板用の表示データやスケジュールデータを含む出力データと、ＬＥＤ電光板３００がＬＥＤ発光素子の駆動を制御するためのファームウエアとの提供を受けるコンピュータ端末機１００と、該コンピュータ端末機１００に仮想デスクトップを起動させる実行領域２１０と、該仮想デスクトップの操作に応じてＬＥＤ電光板用の出力データ及びファームウエアが保存される保存領域２２０とを含むＵＳＢ保存装置２００と、ＵＳＢ保存装置２００からアップデート可能な出力データ及びファームウエアを選択的に読み込んでアップデートを行なうとともに、該アップデート情報をＵＳＢ保存装置２００の保存領域２２０にログファイル形態で保存するＬＥＤ電光板３００とを備える。【選択図】図２
2014157594.tif 000002
【特許請求の範囲】
【請求項１】
ネットワークを通じてサーバから、ＬＥＤ電光板用の表示データ及び／又はスケジュールデータを含む出力データと、ＬＥＤ電光板がＬＥＤ発光素子の駆動を制御するためのファームウエアとの提供を受けるコンピュータ端末機と、
前記コンピュータ端末機に接続されたとき、該コンピュータ端末機に仮想デスクトップを起動させる実行領域と、該仮想デスクトップの操作に応じてＬＥＤ電光板用の出力データ及びファームウエアが保存される保存領域とを含むＵＳＢ保存装置と、
前記ＵＳＢ保存装置が通信接続部に接続されたとき、該ＵＳＢ保存装置からアップデート可能な出力データ及びファームウエアを選択的に読み込んでアップデートを行なうとともに、該アップデート情報を前記ＵＳＢ保存装置の保存領域にログファイル形態で保存するＬＥＤ電光板とを備えることを特徴とするＬＥＤ電光板のデータ設定システム。
【請求項２】
前記コンピュータ端末機は、前記ＵＳＢ保存装置にログファイル形態で保存されたアップデート情報にもとづいて、前記ＬＥＤ電光板がアップデート可能な出力データ及びファームウエアを選択的に前記ＵＳＢ保存装置に保存し、
前記ＬＥＤ電光板は、前記ＵＳＢ保存装置からアップデート可能な出力データ及びファームウエアを選択的に読み込んでアップデートを行なうことを特徴とする請求項１に記載のＬＥＤ電光板のデータ設定システム。
【請求項３】
ＬＥＤ電光板用の表示データ及び／又はスケジュールデータを含む出力データと、ＬＥＤ電光板がＬＥＤ発光素子の駆動を制御するためのファームウエアをコンピュータ端末機からＵＳＢ保存装置に保存するステップと、
前記ＵＳＢ保存装置に保存された出力データ及びファームウエアを読み込んでＬＥＤ電光板の出力データ及びファームウエアをアップデートするステップとを含むことを特徴とするＬＥＤ電光板のデータ設定方法。
【請求項４】
前記ＬＥＤ電光板に対する出力データ及びファームウエアのアップデート情報を前記ＵＳＢ保存装置にログファイル形態で保存するステップと、
前記ＵＳＢ保存装置にログファイル形態で保存されたアップデート情報にもとづいて、前記ＬＥＤ電光板がアップデート可能な出力データ及びファームウエアを前記コンピュータ端末機から選択的に読み出して前記ＵＳＢ保存装置に保存するステップとを含むことを特徴とする請求項３に記載のＬＥＤ電光板のデータ設定方法。
【発明の詳細な説明】
【技術分野】
【０００１】
本発明は、専用のＰＣや赤外線リモコンを具備しなくても、ＬＥＤ電光板の出力データ及びファームウエアのアップデートを可能にするＬＥＤ電光板のデータ設定システム及びデータ設定方法に関する。
【背景技術】
【０００２】
ＬＥＤ電光板は、ＬＥＤ発光素子を発光手段として文字、記号、イメージ、動画などを出力（表示）する装置として、主に建物や交通機関などに設置されて広告など所定の情報を提供するために使われる。一般的にＬＥＤ電光板は、多数のＬＥＤが内蔵されたピクセルパネル、ピクセルパネルのＬＥＤにＯＮ／ＯＦＦ信号を出力する駆動ドライバモジュール、動作制御のための電光板制御モジュール、電源供給のための電源モジュール、これらを取り付けるための電光板ケースなどを備えて構成される（例えば、特許文献１参照）。
【０００３】
図１に示すように、ＬＥＤ電光板のデータ送受信方式には、ＰＣ制御方式（図１の（ａ））や赤外線リモコン制御方式（図１の（ｂ））がある。ＰＣ制御方式は、ＰＣ（ＰｅｒｓｏｎａｌＣｏｍｐｕｔｅｒ）２０と、ＬＥＤ電光板１０が相互通信するように接続され、ＰＣ２０に設置された駆動プログラム（ＵｓｅｒＩｎｔｅｒｆａｃｅＰｒｏｇｒａｍ）によってＬＥＤ電光板１０が駆動される方式であり、ＰＣ２０に設置された駆動プログラムを利用してＬＥＤ電光板１０に出力される文字、絵、記号、アニメーションの大きさ、字体、太さ、色相などの表示形態を容易に選択及び変更することができるだけでなく、出力データのスケジュール管理が容易になるという利点がある。また、ＰＣ制御方式では、ファームウエアのような内部制御アプリケーションのアップデートや出力データのアップデートも容易であり、アップデートされる出力データの表示内容をプレビュー画面で容易に確認できるなどの利点もある。しかしながら、ＰＣ制御方式は、ＬＥＤ電光板１０がデータケーブルを通じてＰＣ２０と接続されなければならないので、設置上の制約がある。
【０００４】
一方、赤外線リモコン制御方式は、ＬＥＤ電光板１０に表示される文字、絵、記号、アニメーションなどの出力データを赤外線リモコン３０を利用して設定及び変更するので、ＰＣ制御方式とは違い、別途専用のＰＣ２０が必要がなく、設置上の制約が少ないという利点がある。しかしながら、赤外線リモコン制御方式は、ＬＥＤ電光板１０の本体に赤外線リモコン３０の制御信号を受信するための構成や、制御信号を通じてＬＥＤ電光板１０の出力を制御する構成要素の追加が要求されるので、回路構成が複雑になるという短所がある。また、文字入力や表示効果の選択のような簡単な操作に関しては、赤外線リモコン３０で容易に操作することが可能であるが、出力データのスケジュール管理及びリスト管理のような複雑な操作はほとんど不可能であり、また、ファームウエアなどのような内部制御プログラムのアップデートも難しいという短所がある。したがって、専用のＰＣや赤外線リモコンを具備しなくても、ＬＥＤ電光板の出力データやファームウエアを容易にアップデートすることができるような技術が要求される。
【先行技術文献】
【特許文献】
【０００５】
【特許文献１】韓国特許第１０−２０１０−００５４６６９号公報
【発明の概要】
【発明が解決しようとする課題】
【０００６】
そこで、本発明は、専用のＰＣや赤外線リモコンを具備しなくても、ＬＥＤ電光板の出力データやファームウエアを容易にアップデートすることができるＬＥＤ電光板のデータ設定システム及びデータ設定方法の提供を目的とする。
【課題を解決するための手段】
【０００７】
上記の如き実情に鑑みこれらの課題を解決することを目的として創作された本発明のＬＥＤ電光板のデータ設定システムは、ネットワークを通じてサーバから、ＬＥＤ電光板用の表示データ及び／又はスケジュールデータを含む出力データと、ＬＥＤ電光板がＬＥＤ発光素子の駆動を制御するためのファームウエアとの提供を受けるコンピュータ端末機と、前記コンピュータ端末機に接続されたとき、該コンピュータ端末機に仮想デスクトップを起動させる実行領域と、該仮想デスクトップの操作に応じてＬＥＤ電光板用の出力データ及びファームウエアが保存される保存領域とを含むＵＳＢ保存装置と、前記ＵＳＢ保存装置が通信接続部に接続されたとき、該ＵＳＢ保存装置からアップデート可能な出力データ及びファームウエアを選択的に読み込んでアップデートを行なうとともに、該アップデート情報を前記ＵＳＢ保存装置の保存領域にログファイル形態で保存するＬＥＤ電光板とを備えることを特徴とする。
また、前記コンピュータ端末機は、前記ＵＳＢ保存装置にログファイル形態で保存されたアップデート情報にもとづいて、前記ＬＥＤ電光板がアップデート可能な出力データ及びファームウエアを選択的に前記ＵＳＢ保存装置に保存し、前記ＬＥＤ電光板は、前記ＵＳＢ保存装置からアップデート可能な出力データ及びファームウエアを選択的に読み込んでアップデートを行なうことを特徴とする。
また、本発明のＬＥＤ電光板のデータ設定方法は、ＬＥＤ電光板用の表示データ及び／又はスケジュールデータを含む出力データと、ＬＥＤ電光板がＬＥＤ発光素子の駆動を制御するためのファームウエアをコンピュータ端末機からＵＳＢ保存装置に保存するステップと、前記ＵＳＢ保存装置に保存された出力データ及びファームウエアを読み込んでＬＥＤ電光板の出力データ及びファームウエアをアップデートするステップとを含むことを特徴とする。
また、前記ＬＥＤ電光板に対する出力データ及びファームウエアのアップデート情報を前記ＵＳＢ保存装置にログファイル形態で保存するステップと、前記ＵＳＢ保存装置にログファイル形態で保存されたアップデート情報にもとづいて、前記ＬＥＤ電光板がアップデート可能な出力データ及びファームウエアを前記コンピュータ端末機から選択的に読み出して前記ＵＳＢ保存装置に保存するステップとを含むことを特徴とする。
【発明の効果】
【０００８】
本発明によれば、専用のＰＣや赤外線リモコンを具備しなくても、ＬＥＤ電光板の出力データやファームウエアを容易にアップデートすることができる。
【図面の簡単な説明】
【０００９】
【図１】従来のＬＥＤ電光板のデータ送受信方式を示す図であり、（ａ）はＰＣ制御方式を示す説明図、（ｂ）は赤外線リモコン制御方式を示す説明図である。
【図２】本発明の実施形態に係るＬＥＤ電光板のデータ設定システムを概念的に示すブロック図である。
【図３】本発明の実施形態に係るＬＥＤ電光板のデータ設定方法を示す流れ図である。
【発明を実施するための形態】
【００１０】
以下、本発明の実施の形態について、本発明が属する技術分野の当業者が実施できるように図面を参照して詳しく説明する。ただし、本発明は、当業者の技術的水準によって多様な形態で具現化することができるので、本明細書に記載している実施形態に限定されない。また、本発明の明確な説明のために、説明と関係ない部分は図面において省略し、また、一般に公知で当業者にとって自明な部分に対する詳細な説明も省略する。また、明細書及び特許請求範囲において、構成要素を「含む（備える）」と記載された場合、他の構成要素をさらに含む（備える）ことができると解釈される。また、明細書に記載された技術的用語は本発明が属する技術分野で通常的に使われる意味の中で広義的に解釈される。ただし、通常の技術的用語であっても、本明細書で別の意味が付与された場合はその限りではない。
【００１１】
また、本明細書で使用される用語において、「出力データ」は、ＬＥＤ電光板のＬＥＤ発光素子で表示される文字、記号、イメージ、動画などの表示データ（コンテンツデータ）や、表示データの表現を制御するための各種スケジュールデータを含むものとする。また、「ＬＥＤ電光板」は、外部装置と接続される通信接続部３１０、多数のＬＥＤ発光素子が実装されたピクセルパネル３４０、ピクセルパネル３４０のＬＥＤ発光素子のＯＮ／ＯＦＦ信号を出力する駆動ドライバモジュール３３０、ＬＥＤ電光板の動作を全般的に制御する電光板制御モジュール３２０、ＬＥＤ電光板の出力データ及び各種スケジュールデータが保存されるメモリ部３５０、電源供給のための電源モジュール３６０、これらの装置構成を取り付けるための電光板ケースなどを備えて構成されるものとする。
【００１２】
図２は、本発明の実施形態に係るＬＥＤ電光板のデータ設定システムを概念的に示すブロック図である。
この図に示すように、本発明の実施形態に係るシステム１０００は、コンピュータ端末機１００と、出力データ及びＬＥＤ発光素子の駆動を制御するためのファームウエア（Ｆｉｒｍｗａｒｅ）がコンピュータ端末機１００のＵＳＢポート（ＵｎｉｖｅｒｓａｌＳｅｒｉａｌＢｕｓＰｏｒｔ）を通じて保存されるＵＳＢ保存装置２００と、ＵＳＢ保存装置２００に保存された出力データ及びファームウエアを読み込んで既設定の出力データ及びファームウエアをアップデート（更新）して動作するＬＥＤ電光板３００とを備えて構成される。
【００１３】
このように構成された本発明のシステム１０００によれば、コンピュータ端末機１００上にあるＬＥＤ電光板３００の出力データ及びファームウェアをＵＳＢ保存装置２００に保存した後、このＵＳＢ保存装置２００をＬＥＤ電光板３００に接続し、ＵＳＢ保存装置２００に保存された出力データ及びファームウエアをＬＥＤ電光板３００に読み込んで既設定の出力データ及びファームウエアをアップデートすることができる。したがって、別途専用のＰＣや赤外線リモコンを具備しなくても、ＬＥＤ電光板３００の出力データ及びファームウエアを一括でアップデートすることが可能となり、その結果、複雑な制御動作なしでＬＥＤ電光板３００の機能及び動作を効果的に更新することができる。
【００１４】
具体的に説明すると、本実施形態のＵＳＢ保存装置２００は、実行領域２１０と保存領域２２０とを備えて構成される。実行領域２１０は、コンピュータ端末機１００にＵＳＢ保存装置２００が接続されたとき、コンピュータ端末機１００のデスクトップとは独立された仮想デスクトップを起動させるための領域である。仮想デスクトップは、コンピュータ端末機１００から出力データ及びファームウエアを読み出してＵＳＢ保存装置２００に保存するためのＧＵＩ（ＧｒａｐｈｉｃＵｓｅｒＩｎｔｅｒｆａｃｅ）形態のソフトウエア環境を提供する。
【００１５】
保存領域２２０は、仮想デスクトップを通じてコンピュータ端末機１００から読み出した出力データ及びファームウエアを保存する領域であり、出力データ及びファームウエアの他にも、ＬＥＤ電光板３００に対して行なわれたアップデート情報（例えば、アップデート最終日付け、最終アップデートバージョンなど）がログファイル形態に保存される。ログファイル形態のアップデート情報は、アップデートのためにＵＳＢ保存装置２００をＬＥＤ電光板３００に接続した際、電光板制御モジュール３２０によって作成されることが望ましい。
【００１６】
したがって、仮想デスクトップが起動した際、コンピュータ端末機１００では、ログファイル形態のアップデート情報に記録されたデータを利用して、少なくとも一つのＬＥＤ電光板３００に対する出力データ及びファームウエアのアップデート状況を統合的に管理することができ、また、ログファイル形態のアップデート情報にもとづいて、少なくとも一つのＬＥＤ電光板３００に適用可能な出力データ及びファームウエアをサーバから選択的に提供を受け、仮想デスクトップにリスト化された形態で表示することができる。
【００１７】
コンピュータ端末機１００は、ＵＳＢ保存装置２００が接続された際、実行領域２１０の仮想デスクトップソフトウエアを起動することにより、コンピュータ端末機１００上にある出力データ及びファームウエアをＵＳＢ保存装置２００の保存領域２２０に保存するための仮想デスクトップを提供する。したがって、専用アプリケーションをコンピュータ端末機１００に追加設置しなくても、ＵＳＢ保存装置２００で提供される仮想デスグトップを利用してコンピュータ端末機１００上にある出力データ及びファームウエアをＵＳＢ保存装置２００に保存することができる。なお、仮想デスクトップは、コンピュータ端末機１００のデスクトップとは独立されて実行されるのが望ましい。
【００１８】
また、コンピュータ端末機１００は、ネットワークや通信網を通じてサーバから出力データ及びファームウエアに関する情報を受信して仮想デスクトップに提供することができる。例えば、仮想デスクトップが起動した際、コンピュータ端末機１００がサーバから出力データ及びファームウエアに関する情報を受信して仮想デスクトップに提供し、仮想デスクトップは上記受信された情報をリスト化された形態で表示して使用者に提供することができる。
【００１９】
コンピュータ端末機１００は、上記情報リストの項目の中から使用者が選択した出力データやファームウエアをサーバから選択的に受信して仮想デスクトップに提供し、仮想デスクトップは上記受信された出力データやファームウエアをＵＳＢ保存装置２００の保存領域２２０に保存する。これにより、別途専用のＰＣや赤外線リモコンを具備しなくても、特定のＬＥＤ電光板３００に適用可能な出力データ及びファームウエアを選択的に取得し、ＬＥＤ電光板３００の出力データ及びファームウエアをアップデートすることができる。
【００２０】
ＬＥＤ電光板３００は、ＵＳＢ保存装置２００が接続された際、ＵＳＢ保存装置２００に保存された出力データ及びファームウエアを読み出し、ＬＥＤ電光板３００に既設定の出力データ及びファームウエアを一括でアップデートする。例えば、コンピュータ端末機１００にＵＳＢ保存装置２００を接続するとともに、起動した仮想デスクトップを通じて使用者がＬＥＤ電光板３００に対する出力データ及びファームウエアを選択してＵＳＢ保存装置２００に保存し、その後、ＵＳＢ保存装置２００をＬＥＤ電光板３００に接続する。これにより、ＬＥＤ電光板３００は、ＵＳＢ保存装置２００に保存された出力データ及びファームウエアを読み出し、ＬＥＤ電光板３００に既設定の出力データ及びファームウエアを一括でアップデートすることができる。
【００２１】
また、ＬＥＤ電光板３００は、出力データ及びファームウエアに関するアップデート情報をメモリ部３５０やＵＳＢ保存装置２００の保存領域２２０にログファイル形態で保存する。これにより、アップデートのためにＵＳＢ保存装置２００がＬＥＤ電光板３００に接続されたとき、アップデート可能な出力データ及びファームウエアを選択的にＵＳＢ保存装置２００から読み出して既設定の出力データ及びファームウェアを一括でアップデートすることができる。
【００２２】
以下、本発明の実施形態に係るＬＥＤ電光板３００のデータ設定方法について、図３を参照して説明する。
【００２３】
図３は、本発明の実施形態に係るＬＥＤ電光板のデータ設定方法を示す流れ図である。
この図に示すように、本発明の実施形態に係るＬＥＤ電光板３００のデータ設定方法は、少なくとも一つのＬＥＤ電光板３００にアップデート可能な出力データ及びファームウエアをサーバに要請してコンピュータ端末機１００にダウンロードするステップ（Ｓ３３０）と、コンピュータ端末機１００にある出力データ及びファームウエアをＵＳＢ保存装置２００に保存するステップ（Ｓ３４０）と、ＵＳＢ保存装置２００に保存された出力データ及びファームウエアをＬＥＤ電光板３００が読み出して既設定の出力データ及びファームウエアをアップデートするステップ（Ｓ３６０）とを含む。
【００２４】
望ましくは、ステップＳ３６０において、ＬＥＤ電光板３００に対する出力データ及びファームウエアのアップデート情報をＵＳＢ保存装置２００にログファイル形態で保存する。このようにすると、次回のアップデートに際し、ＵＳＢ保存装置２００にログファイル形態で保存されたアップデート情報を参照することにより、ＬＥＤ電光板３００にアップデート可能な出力データ及びファームウエアをステップＳ３３０やＳ３４０の段階で適切に選択し、コンピュータ端末機１００からＵＳＢ保存装置２００に保存することが可能になる。
【００２５】
このような方法を通じてコンピュータ端末機１００上にあるＬＥＤ電光板３００の出力データ及びファームウエアをＵＳＢ保存装置２００に保存した後、ＬＥＤ電光板３００にＵＳＢ保存装置２００を接続し、ＵＳＢ保存装置２００に保存された出力データ及びファームウエアでＬＥＤ電光板３００に既設定の出力データ及びファームウエアを一括でアップデートすることができる。
【００２６】
上述した本発明の方法は例示された各段階の手順に限定されない。すなわち、各段階の順序では当業者の技術的水準によって変更することができるし、また、複数のステップを同時に実行することもできる。また、当業者であれば、例示した各ステップを排他的ではなく、特定のステップに一つ以上の他のステップを追加することができるし、本発明の技術的範囲に影響を及ぼさない範囲で流れ図に記載した特定のステップを省くことができる。
【００２７】
上述した本発明の実施形態は、特許請求の範囲内に属する一つの様態を例示したものである。よって、本発明の特許請求の範囲内であれば、本明細書に具体的に例示されない構成との組み合せ、交換、修正及び変更が可能であることは勿論である。
【符号の説明】
【００２８】
１００  コンピュータ端末機
２００  ＵＳＢ保存装置
２１０  実行領域
２２０  保存領域
３００  ＬＥＤ電光板
３１０  通信接続部
３２０  電光板制御モジュール
３３０  駆動ドライバモジュール
３４０  ピクセルパネル
３５０  メモリ部
３６０  電源モジュール
１０００  システム
【図２】
2014157594.tif 000003
【図３】
2014157594.tif 000004
【図１】
2014157594.tif 000005